(57)【要約】      （修正有）【課題】  ＤＶＤ等を貸出す為に貸出しケースに収容して店内の棚に陳列する場合、盗難に遭わないようにすると共に、貸出しケースを顧客に貸し出す際にロックを素早く解錠出来る貸出しケースを提供する。【解決手段】  貸出しケースはＤＶＤ等の中心穴に嵌るヘソを備えた本体ケースと本体ケースを閉じる蓋から成り、側縁の中央部には凹部３２を形成し、ケースの側面開口から警報装置が感知するタグシール等を有すロックプレートをロックプレート嵌入空間にスライドして嵌入することで蓋が開かないように互いに噛み合ってロックする構造とし、ロックプレートはアーム先端にロックツメ１５ａ，１５ｂを形成すると共に該アーム３０ａ，３０ｂには磁石３１ａ，３１ｂ又は磁性体を取付け、該ロックプレートをケースのロックプレート嵌入空間へ挿入することでアーム先端のロックツメ１５ａ，１５ｂをケースに設けた係止部８などに係止してロックする。【選択図】図６
2006232372.tif 000002
【特許請求の範囲】
【請求項１】
店内の棚に陳列したＤＶＤ等が盗難に遭わないように盗難防止機能を備えたＤＶＤ等の貸出しケースにおいて、該貸出しケースはＤＶＤ等の中心穴に嵌るヘソを備えた本体ケースと本体ケースを閉じる蓋から成り、側縁の中央部には凹部を形成し、ケースの側面開口から警報装置が感知するタグシール等を有すロックプレートをロックプレート嵌入空間にスライドして嵌入することで蓋が開かないように互いに噛み合ってロックする構造とし、ロックプレートは平板部とコ形断面の挟持部から成って挟持部の中間部位にはケース側縁からはみ出さない長さの係止ツメを突出し、又挟持部には撓み変形するアーム先端にロックツメを形成すると共に該アームには磁石又は磁性体を取付け、該ロックプレートをケースのロックプレート嵌入空間へ挿入することでアーム先端のロックツメをケースに設けた係止部などに係止してロックすることを特徴とする盗難防止機能を備えたＤＶＤ等の貸出しケース。
【請求項２】
店内の棚に陳列したＤＶＤ等が盗難に遭わないように盗難防止機能を備えたＤＶＤ等の貸出しケースにおいて、該貸出しケースはＤＶＤ等の中心穴に嵌るヘソを備えた本体ケースと本体ケースを閉じる蓋から成り、ケースの側面開口から警報装置が感知するタグシール等を有すロックプレートをロックプレート嵌入空間にスライドして嵌入することで蓋が開かないように互いに噛み合ってロックする構造とし、ロックプレートは平板部とコ形断面の挟持部から成って該挟持部には解錠具上面から突出する係止ピンが嵌る係止穴を設け、又挟持部には撓み変形するアーム先端にロックツメを形成すると共に該アームには磁石又は磁性体を取付け、該ロックプレートをケースのロックプレート嵌入空間へ挿入することでアーム先端のロックツメをケースに設けた係止部などに係止してロックすることを特徴とする盗難防止機能を備えたＤＶＤ等の貸出しケース。
【請求項３】
本体ケース及び蓋の外側縁には内側へ突出するガイド片を設け、該ガイド片をロックプレートの挟持部に形成した側片にて挟み込んだ請求項１記載の盗難防止機能を備えたＤＶＤ等の貸出しケース。
【請求項４】
本体ケースの内面及び蓋の内面から夫々リングを起立して設け、ロックプレートの先端に嵌入バーを延ばし、該嵌入バーを上記各リングの嵌入穴に嵌入した請求項１、請求項２、又は請求項３記載の盗難防止機能を備えたＤＶＤ等の貸出しケース。
【請求項５】
店内の棚に陳列したＤＶＤ等が盗難に遭わないように盗難防止機能を備えたＤＶＤ等の貸出しケースであって、該貸出しケースはＤＶＤ等の中心穴に嵌るヘソを備えた本体ケースと本体ケースを閉じる蓋から成り、側縁の中央部には凹部を形成し、ケースの側面開口から警報装置が感知するタグシール等を有すロックプレートをロックプレート嵌入空間にスライドして嵌入することで蓋が開かないように互いに噛み合ってロックする構造とし、ロックプレートは平板部とコ形断面の挟持部から成って挟持部の中間部位にはケース側縁からはみ出さない長さの係止ツメを突出し、又挟持部には撓み変形するアーム先端にロックツメを形成すると共に該アームには磁石又は磁性体を取付け、該ロックプレートをケースのロックプレート嵌入空間へ挿入することでアーム先端のロックツメをケースに設けた係止部などに係止してロックするように構成した貸出しケースの上記ロックプレートを解錠する為の解錠具において、解錠具の底部には上記アームを引き寄せる為の磁石を備え、そしてロックプレートの挟持部から突出した係止ツメに係止する係止部材を上面から突出して設けたことを特徴とするロックプレートの解錠具。
【請求項６】
上記係止部材には常に上方へ突出するバネ力を付勢した請求項５記載のロックプレートの解錠具。
【請求項７】
店内の棚に陳列したＤＶＤ等が盗難に遭わないように盗難防止機能を備えたＤＶＤ等の貸出しケースであって、該貸出しケースはＤＶＤ等の中心穴に嵌るヘソを備えた本体ケースと本体ケースを閉じる蓋から成り、ケースの側面開口から警報装置が感知するタグシール等を有すロックプレートをロックプレート嵌入空間にスライドして嵌入することで蓋が開かないように互いに噛み合ってロックする構造とし、ロックプレートは平板部とコ形断面の挟持部から成って該挟持部には係止穴を設け、又挟持部には撓み変形するアーム先端にロックツメを形成すると共に該アームには磁石又は磁性体を取付け、該ロックプレートをケースのロックプレート嵌入空間へ挿入することでアーム先端のロックツメをケースに設けた係止部などに係止してロックするように構成した貸出しケースの上記ロックプレートを解錠する為の解錠具において、解錠具の底部には上記アームを引き寄せる為の磁石を備え、そしてロックプレートの挟持部に設けた係止穴に嵌って係止する複数本の係止ピンを上面から突出して設け、該係止ピンには常に上方へ突出するバネ力を付勢したことを特徴とするロックプレートの解錠具。
【発明の詳細な説明】
【技術分野】
【０００１】
本発明はレンタルショップの棚に陳列されているＤＶＤ、ＣＤ、ゲームソフト等を盗難から守ることが出来る盗難防止機能を備えた貸出しケース、及び解錠具に関するものである。
【背景技術】
【０００２】
ビデオテープの場合も同じであるが、ＤＶＤをケースのまま店内の陳列棚に直接配列している場合には盗難に遭うケースが多い。勿論、ＤＶＤの貸出しケースには盗難防止用のタグシールが貼着されていて、店の出入り口にある盗難防止ゲートをそのまま通過することで警報が鳴るようなシステムを採用している。しかし、このタグシールを剥してしまうならば、そのまま持ち出しても盗難防止ゲートが感知して警報を発することはない。
【０００３】
そこで、ＤＶＤを入れた貸出しケースをさらに別の陳列用ケースに入れた状態で店内の陳列棚に配列している場合が多い。そこで顧客は陳列ケースから取出して店のカウンターへ運んで借りることが出来る。この際、店員は所定の手続きをとった上でＤＶＤを収容した貸出しケースを顧客に手渡すことになるが、この該貸出しケースからＤＶＤが取出せるように解錠しなくてはならずこの作業が面倒である場合が多く、複数枚のＤＶＤを借りる場合に時間がかかって顧客に迷惑を掛けることになる。
【０００４】
特許第３３９９４７２８号に係る「ケース」は、陳列や販売以外に貸出しケースになると共に、収納商品の盗難を防止することが出来るものであり、この請求項４には「側面に商品の出し入れ用の開口を有する箱体と、この箱体の下縁側に適宜のヒンジを介して前記開口を開閉するように設けた蓋体と、この蓋体と前記箱体とのそれぞれの側壁の上縁から連なって上方に突出すると共に、延長を内方に７字状に屈曲した屈曲壁によって設けた並列係合溝とで構成したケースと、前記係合溝に連結板を介して対向する両側板の上縁部を前記ケースの閉鎖状態維持の係合状態に、かつ抜き差し自在に差し込んだスライダとから成り、上記スライダと上記ケース或は係合溝との対向面に前記スライダの差し込みにともない押し戻され、かつ差し込み終了にともない係合関係に成りうるような係止手段を設けたことを特徴とするケース。」である。
【０００５】
上記スライダにはダグが貼着されている為に、ケースの係合溝にスライダが差し込まれることで、ケースを開くことが出来ないと共に店からケースごと持ち出すことも出来ない。従って、盗難を防止することが可能と成るが、ケース内に収容されているＤＶＤを貸出しする際にはスライダを抜き取ってケースを開くことが出来る状態にしなくては成らない。本件発明のケースの場合には解除具が用いられ、該解除具をスライダを差し込んだ状態で形成される間隙に挿入して係止手段を解除することが出来るように成っている。
【０００６】
そこで、借りる為に客が持って来た個々のケースに解除具を挿入してスライダを抜き取った状態で貸し出す作業が強いられる。このような解錠操作はＤＶＤの貸出しケースごとに行わなくてはならず、一人の顧客が複数枚のＤＶＤを借りる場合、又別の顧客が貸出し手続きを待っている場合であれば、非常に手間がかかる操作となる。すなわち、複数枚が同時に解錠出来てスピーディな貸出しを行うことが出来るケースが望ましい。
【特許文献１】特許第３３９９４７２８号に係る「ケース」
【発明の開示】
【発明が解決しようとする課題】
【０００７】
このように、従来のＤＶＤ等の貸出しケースをロックしているスライダを解除して貸し出す作業は煩雑化し、客が一度に複数枚のＤＶＤを借りる場合には、貸出しに時間がかかる。本発明が解決しようとする課題はこの問題点であり、ＤＶＤを収容した複数枚の貸出しケースのスライダ(ロックプレート)を簡単に、しかも同時に解除することが出来る盗難防止機能を備えたＤＶＤ等の貸出しケースを提供する。又、ロックプレートを解錠することが出来る解錠具を提供する。
【課題を解決するための手段】
【０００８】
本発明に係るＤＶＤ等の貸出しケースは本体ケースと蓋から成り、蓋は継手部を介して開閉可能な構造とし、閉じることで本体ケースを被覆してＤＶＤ等を収納することが出来る。本体ケースの中央には従来のケースと同じようにＤＶＤ等の中心穴に嵌るヘソが突出して設けられ、そして蓋又は本体ケースには補助ケースを備えることもある。この補助ケースはチャプターシート、宣伝用のチラシ等を入れる為の空間である。
【０００９】
ところで、この貸出しケースは陳列用ケース(外ケース)に収容されて店の陳列棚に陳列されることになるが、貸出しケースからＤＶＤ等が盗まれないように蓋はロックされている。そこでロック構造としてはロックプレートが使用され、貸出しケースに設けた開口から該ロックプレートがスライドして嵌入され、ロックプレートは本体ケースと蓋に噛み合って係合することが出来る。従って、蓋は開くことなく本体ケースにロックされる。
【００１０】
そして、ロックプレートからは係止ツメが突出し、該係止ツメは解錠具に突出した係止部材に係止することが出来、係止ツメを係止した状態で貸出しケースをスライドさせることでロックプレートが引き抜かれる。ここで、上記係止ツメはロックプレートの略中間部位に設けられ、該係止ツメが突出する側の貸しケースの側縁は両端部を除いて凹部形状と成っている。また、解錠具の係止部材は上下動可能な取付け構造とし、常に突出するようにバネ力を付勢することもある。
【００１１】
貸出しケースに嵌入したロックプレートにはロックツメが設けられ、該ロックツメは貸出しケースの係止部に係止している為に外れない構造と成っている。該ロックツメは撓み変形するアーム先端に形成され、アームには磁石または磁石に作用する磁性体を備えている。
【００１２】
そこで、上記ロックツメを係止部から外す為にも磁石が用いられ、磁石の磁気力を利用してロックツメを磁石側へ引き寄せて係止部から外し、その状態でロックプレートをスライドして取外すことが出来る構造としている。ここで、ロックプレートにはタグシールが貼着されていて、取外さないで貸出しケースを持ち出すならば、出入り口に設置している防犯装置が感知して警報を発するようなる。
【００１３】
一方、ロックプレートに係止穴を形成し、該係止穴に嵌る係止ピンを解錠具の上面から突出して設けることもある。ロックプレートに設けられる係止穴は１個であるが、係止ピンは複数本とし、貸出しケースを解錠具に載置することで適当な位置にある係止ピンが係止穴に嵌ることが出来、この状態で貸出しケースをスライドさせるならばロックプレートは抜き取られる。
【発明の効果】
【００１４】
本発明のＤＶＤ等の貸出しケースは蓋をロックする為のロックプレートを嵌入していて、このロックプレートを取外すことで蓋を開くことが出来る。そしてロックプレートには撓み変形するアームが取付けられていると共に、該アームにはケース側に設けた係止部に係止する為のロックツメを有している。そこで、貸出しケースを複数枚重ねて解錠具の上に置き、上面に設けている磁石によってアームに備えている磁石又は磁性体が引かれることでロックツメは解錠される。
【００１５】
そして、ロックプレートの係止ツメが解錠具の係止部材に係止し、この状態でケースを引くならばロックプレートは取外される。この際、ケース側縁の中央部が凹部と成ってこの空間に突出した係止ツメが係止部材に係止すると共に、側縁両端部が解錠具上面に接することで、貸出しケースはスライドし易くなる。そして、同時に複数枚の貸出しケースのロックを解錠してロックプレートを取外し出来、貸出しを待つ顧客に迷惑をかけなくて済む。ロックプレートに係止穴を設け、該係止穴に解錠具の係止ピンを嵌める構造の場合も同じである。
【実施例】
【００１６】
図１は本発明に係る盗難防止機能を備えたＤＶＤの貸出しケースの外観を示している実施例である。同図の１は本体ケース、２は蓋を示し、蓋２は開閉可能に本体ケース１の縁３に取付けられていて、該本体ケース１に被覆される。本体ケース１にはＤＶＤが収容され、該本体ケース１の中央に突出して設けたヘソがＤＶＤの穴に嵌って取付けられる。ところでＤＶＤは本体ケース１に収容されて蓋２が閉じられ、この状態で、陳列用ケース(図示なし)に入れて店内の棚に配列される。
【００１７】
陳列用ケースにはタイトルシートが備わっている為に、顧客は陳列用ケースからＤＶＤが収容されている貸出しケースを抜取ってカウンターへ持ち運んで借りることが出来る。ところで、本発明の貸出しケースは蓋を開いてＤＶＤが抜取られないように、該蓋はロックされている為に、カウンターではこのロックを解錠して貸出すことになる。すなわち、貸出しケースの蓋２を閉じてロックプレート３を本体ケース１の開口４から嵌入することで蓋２はロックされる構造と成っている為に、貸し出す際にはロックプレート３が抜き取られる。
【００１８】
図２は本発明に係る貸出しケースの内部構造を示している実施例である。(ａ)は蓋２を透視した本体ケース１の内部形態、(ｂ)は右側面図をそれぞれ示している。本体ケース１にはＤＶＤを収容する為の空間とロックプレートを嵌入する為の空間が設けられ、ＤＶＤ収容空間5の中央にはヘソ６が突出していて、ＤＶＤの中心穴に嵌るようになっている。このヘソ６は従来のＣＤケースと同じである。
【００１９】
一方のロックプレート嵌入空間7にはロックプレート3がスライドして嵌入し、蓋２が開かないようにロックされる訳であり、(ｂ)に示すように蓋２を閉じた状態でロックプレート３が嵌入する為の開口４を外側に形成している。該開口４から嵌入したロックプレート３は嵌入完了に伴ってロックされ、解錠具にて解錠しない限り抜き取ることが出来なくなる。
【００２０】
その為に、本体ケース１のロックプレート嵌入空間７には係止部８と係止溝９が設けられ、差し込まれたロックプレート３のロックツメが上記係止部８と係止溝９に係止することが出来る。同時に、差し込まれたロックプレート３によって蓋２が開かないような構造と成っている。そして、ロックプレート嵌入空間側の側縁中央部には凹部３２が形成されている。
【００２１】
図３はこのロックプレート３を示す具体例であるが、ロックプレート３は平板部１０とコ型断面の挟持部１１を有し、挟持部１１は全長にわたって形成され、平板部１０の先端には嵌入バー１３を挿入方向へ突出して設けている。そして平板部１０の手前側にはコ型の挟持片１２ａ，１２ｂが２箇所に設けている。
【００２２】
一方、コ型をした上記挟持部１１の内部には基部１４ａ，１４ｂを支点として撓み変形するアーム３０ａ，３０ｂを有し、該アーム３０ａの先端にはロックツメ１５ａが設けられ、アーム３０ｂの先端にはロックツメ１５ｂが設けられている。そしてこれらロックツメ１５ａ，１５ｂは挟持部背面１６から内側へ突出している。このロックツメ１５ａ，１５ｂは背面１６から常時突出した状態にあるが、撓み変形するならば上記背面１６から後退することが出来る。
【００２３】
ところで、このロックプレート３を上記貸出しケースの開口４からロックプレート嵌入空間７へ嵌入するならば、平板部１０は蓋面に接してガイドされ、本体ケース１の内面から起立した係止部８、及び各リブ１７，１７・・との隙間に嵌る。又、挟持部１１の両側片１８，１８は本体ケース１及び蓋２の外側縁から内側へ延びるガイド片１９，１９を挟み込み、同じくガイド片２０，２０を挟み込むことが出来る。
【００２４】
さらに、本体ケース面から突出して設けられているリング２３の嵌入穴２１、及び蓋面から突出して設けているリング２４の嵌入穴２２にはロックプレート３の先端に形成している嵌入バー１３が嵌入する。一方、蓋側に設けている係止穴３７ａ，３７ｂにはロックプレート３の挟持片１２ａ，１２ｂが嵌る。従って、ロックプレート３が挿入されるさらば、上記ガイド片１９，１９、２０，２０、及び嵌入穴２１，２２、さらに係止穴３７ａ，３７ｂを拘束することで蓋２は開くことが出来なくなる。
【００２５】
しかも、ロックツメ１５ａ，１５ｂが係止部８及び係止溝９に係止することで取外すことも出来ない。図３に示すロックプレート３の挟持部１１からは係止ツメ３３が突出し、該係止ツメ３３が解錠具２５の係止部材に係止した状態で貸出しケースをスライドすることで抜き取られる。
【００２６】
図４はケース外側縁に設けたガイド片１９，１９をロックプレート３の挟持部側片１８，１８が挟み込んでいる状態の断面を、図５(ａ)は本体ケース１の内面から起立して設けたリング２３の嵌入穴２１に嵌入バー１３が嵌入している場合、図５(ｂ)は蓋２の内面から起立して設けたリング２４の嵌入穴２２に嵌入バー１３が嵌入している場合の断面図を示している。本体ケース側と蓋側から起立して設けたリング２３，２４の嵌入穴２１，２２に連続した嵌入バー１３が嵌入することで蓋２はロックされる。
【００２７】
図6〜図８はロックプレート３を貸出しケースから解錠具２５を用いて抜き取る場合を示している。該解錠具２５は底部２６と該底部２６に対して垂直に起立する起立部２７を有すＬ形を成し、底部２６には磁石２８ａ，２８ｂを取付けている。そして、底部２６にはその上面３２から係止部材２９を突出すると共に係止部材２９が上方へ突出するバネ力がコイルバネ３４にて付勢されている。このように構成した解錠具２５に貸出しケースを図６に示すように載置する。
【００２８】
ところで、底部２６に備えている磁石２８ａ，２８ｂはロックツメ１５ａ，１５ｂを先端に形成したアーム３０ａ，３０ｂに取着している磁石３１ａ，３１ｂを引き寄せる。すなわち、該アーム３０ａ，３０ｂは磁石側へ撓み変形することが出来、その結果ロックツメ１５ａは係止部８ａから解除され、ロックツメ１５ｂは係止溝９から解除される。
【００２９】
貸出しケースを図７のように引くならば、ロックプレート３から下方へ突出する係止ツメ３３は解錠具２５の係止部材２９に係止し、該ロックプレート３を引き抜くことが出来る。図８はロックプレート３がほぼ引き抜かれた場合を示している。実施例ではロックプレート３及び解錠具２５に磁石を備えているが、互いに引き合う何れか片方のみ磁石とし、対向側にはスチールなどの磁性体を取付ける場合もある。
【００３０】
貸出しケースの側縁中央部には凹部３２が形成され、解錠具２５の上面には側縁両端部が接してスムーズにスライドし、上記係止ツメ３３は上面３２には接しない。そして、該貸出しケースがスライドして図７に示すように係止部材２９が端部に差し掛かったならば、係止部材２９は図８のように押下げられる。解錠具２５は複数枚の貸出しケースを同時に載置できるように、ある程度の幅(紙面に対しての奥行き)を有したＬ形部材であり、底部２６に設けている磁石２８ａ，２８ｂ及び係止部材２９も底部２６と同じ程度の幅寸法と成っている。
【００３１】
図９はロックプレート３の別形態を示す実施例である。このロックプレート３の外形は前記図３に示す場合とほぼ同じであるが、挟持部１１に係止穴３５を設けている。そして、図１０に示すように解錠具２５は底部２６に磁石２８ａ，２８ｂが設けられ、又複数本の係止ピン３６，３６・・を取付けている。該係止ピン３６，３６・・は底部２６の上面３２からバネ力にて突出しているが、上方から押さえられることでコイルバネを圧縮して後退するように成っている。
【００３２】
そして、図１０、図１１、図１２は図９に示したロックプレート３を解錠具２５にて取外す場合を示している。該解錠具２５の底部２６に取付けている係止ピン３６はロックプレート３の係止穴３５に嵌って係止することが出来る。係止ピン３６，３６・・は複数本起立して設けられているが、貸出しケースを解錠具２５の上面３２に載置することで適当な１本の係止ピン３６が係止穴３５に嵌ることが出来る。図１０はこの状態を示している。
【００３３】
勿論、貸出しケースを上面３２に載置するならば、磁石２８ａ，２８ｂに引かれてアーム３０ａ，３０ｂは撓み変形し、その結果ロックツメ１５ａ，１５ｂは係止部８及び係止溝９から解除される。そこで、貸出しケースを引くならば係止ピン３６が嵌って係止しているロックプレート３は図１１のように貸出しケースから引き抜かれる。
【００３４】
貸出しケースをスライドしてロックプレート３が一部引き抜かれたならば、その後は、手で摘んで取外すことが出来、図１２はロックプレート３を完全に引き抜いた場合である。ところで、解錠具２５にてロックプレート３を引き抜くことが出来る解錠作業は、複数枚の貸し出しケースを同時に行うことが出来る。すなわち、複数枚の貸出しケースを並べて解錠具２５に載置し、解錠作業を行い得る。
【図面の簡単な説明】
【００３５】
【図１】本発明の貸出しケースで蓋を開いた状態の概略図。
【図２】(ａ)は本発明の貸し出しケースの正面透視図、(ｂ)は貸出しケースの側面図。
【図３】ロックプレートの実施例。
【図４】ロックプレートを貸出しケースに嵌入した場合の外側縁に形成したガイド片と挟持部側片との噛合い状態。
【図５】ロックプレートを貸出しケースに嵌入した場合、本体ケース及び蓋から起立して形成したリングの嵌入穴に嵌入バーが嵌入した場合。
【図６】貸出しケースを解錠具に載置した場合。
【図７】解錠具にてロックプレートを一部引き抜いた状態。
【図８】解錠具にてロックプレートを完全に引き抜いた場合。
【図９】ロックプレートの別形態を示す実施例。
【図１０】貸出しケースを解錠具に載置した場合。
【図１１】解錠具にてロックプレートを一部引き抜いた状態。
【図１２】解錠具にてロックプレートを完全に引き抜いた場合。
【符号の説明】
【００３６】
１  本体ケース
２  蓋
３  ロックプレート
４  開口
５  ＤＶＤ収容空間
６  ヘソ
７  ロックプレート嵌入空間
８  係止部
９  係止溝
10  平板部
11  挟持部
12  挟持片
13  嵌入バー
14  基部
15  ロックツメ
16  背面
17  リブ
18  側片
19  ガイド片
20  ガイド片
21  嵌入穴
22  嵌入穴
23  リング
24  リング
25  解錠具
26  底部
27  起立部
28  磁石
29  係止部材
30  アーム
31  磁石
32  上面
33  係止ツメ
34  コイルバネ
35  係止穴
36  係止ピン
37  係止穴
【図１】
2006232372.tif 000003
【図２】
2006232372.tif 000004
【図３】
2006232372.tif 000005
【図４】
2006232372.tif 000006
【図５】
2006232372.tif 000007
【図６】
2006232372.tif 000008
【図７】
2006232372.tif 000009
【図８】
2006232372.tif 000010
【図９】
2006232372.tif 000011
【図１０】
2006232372.tif 000012
【図１１】
2006232372.tif 000013
【図１２】
2006232372.tif 000014